(57)【要約】【課題】広域無線通信システムを用いてインターネット等の他のネットワークに従来よりも確実に接続する。【解決手段】広域無線通信方式に基づく基地局と通信を行う無線通信端末であって、広域無線通信方式に対応する広域無線通信部１と、所定の近距離無線通信方式に対応する近距離無線通信部２と、ノート型パーソナルコンピュータから有線による通信要求を受け付けるバスＩ／Ｆ部４と、広域無線通信部１、近距離無線通信部２及びバスＩ／Ｆ部４を制御する制御部とを具備し、該制御部は、ノート型パーソナルコンピュータからのインターネットとの通信要求に基づく広域無線通信部１を用いた第１の通信の最中に、近距離無線通信部２が広域無線通信部１を用いたインターネットとの通信要求を受信すると、近距離無線通信部２が受信した通信要求に基づく第２の通信を第１の通信に多重化させる。【選択図】図２
2008252276.tif 000002
【特許請求の範囲】
【請求項１】
所定の広域無線通信方式に基づく基地局と通信を行う無線通信端末であって、
前記広域無線通信方式に対応する第１の通信手段と、
所定の近距離無線通信方式に対応する第２の通信手段と、
所定機器から有線による通信要求を受け付ける受付手段と、
前記第１の通信手段、第２の通信手段及び受付手段を制御する制御部とを具備し、
該制御部は、前記所定機器からの通信要求に基づく第１の通信手段を用いた第１の通信の最中に、前記第２の通信手段が第１の通信手段を用いた通信の通信要求を受信すると、前記第２の通信手段が受信した通信要求に基づく第２の通信を前記第1の通信に多重化させることを特徴とする無線通信端末。
【請求項２】
所定の広域無線通信方式に基づく基地局と通信を行う無線通信端末であって、
前記広域無線通信方式に対応する第１の通信手段と、
所定の近距離無線通信方式に対応する第２の通信手段と、
所定機器から有線による通信要求を受け付ける受付手段と、
前記第１の通信手段、第２の通信手段及び受付手段を制御する制御部とを具備し、
該制御部は、前記第１の通信手段を用いた基地局との通信が異常な場合には、通信が正常な第２の通信手段を用いて他の端末に基地局との通信仲介を依頼する通信要求を送信し、他の端末の通信仲介を応じる旨の応答に基づき、他の端末の第１の通信手段及び第２の通信手段を用いた基地局との通信を前記第２の通信手段に行わせる
ことを特徴とする無線通信端末。
【請求項３】
所定の広域無線通信方式に基づく基地局と通信を行う無線通信端末であって、
前記広域無線通信方式に対応する第１の通信手段と、
所定の近距離無線通信方式に対応する第２の通信手段と、
所定機器から有線による通信要求を受け付ける受付手段と、
前記第１の通信手段、第２の通信手段及び受付手段を制御する制御部とを具備し、
該制御部は、前記第１の通信手段を用いた基地局との通信が正常な場合に、他の端末の第１の通信手段及び第２の通信手段を用いることにより基地局との通信を第２の通信手段に並行して行わせる
ことを特徴とする無線通信端末。
【請求項４】
前記制御部は、第２の通信手段を用いることにより複数の他の端末から通信負荷情報を取得し、当該通信負荷情報に基づいて負荷が最も軽い他の端末を介して基地局との通信を第２の通信手段に行わせることを特徴とする請求項２または３記載の無線通信端末。
【請求項５】
前記制御部は、第２の通信手段を用いた複数の他の端末との通信が可能な場合、複数の他の端末を介した基地局との通信を第２の通信手段に並行して行わせることを特徴とする請求項２〜４のいずれかに記載の無線通信端末。
【請求項６】
前記制御部は、前記所定機器からの通信要求に基づく第１の通信手段を用いた第１の通信の最中に、前記第２の通信手段が第１の通信手段を用いた通信の通信要求を受信すると、前記第２の通信手段が受信した通信要求に基づく第２の通信を前記第1の通信に多重化させることを特徴とする請求項２〜５のいずれかに記載の無線通信端末。
【発明の詳細な説明】
【技術分野】
【０００１】
本発明は、無線通信端末に関する。
【背景技術】
【０００２】
下記非特許文献１には、広域無線通信システムとして設計されたｉＢｕｒｓｔ（商標または登録商標）システムについて開示されている。このｉＢｕｒｓｔシステムは、ユーザ端末、基地局、バックホールネットワーク、パケット交換機及びインターネット接続業者の通信設備からなるものであり、ユーザ端末から発信されたインターネット接続要求を基地局→バックホールネットワーク→パケット交換機を経由してインターネット接続業者の通信設備に伝送することにより、ユーザ端末とインターネットとの接続を実現する。
【非特許文献１】阪田史郎、ワイヤレス・ユビキタス、秀和システム、p181〜194
【発明の開示】
【発明が解決しようとする課題】
【０００３】
ところで、上記ｉＢｕｒｓｔシステムは、広域無線通信システムとして設計されているため、基地局がカバーする通信エリアは比較的広い。したがって、基地局から離間した場所の例えば建物内にユーザ端末がある場合、当該ユーザ端末は、基地局との間の電波伝播路の伝播ロスが大きいために基地局と正常な通信を行うことができず、よってインターネットとの接続を実現できないという事態が生じ得る。
建物内であっても、例えば窓近傍に位置するユーザ端末は、建物による伝播ロスの影響が比較的少ないので、基地局との正常な通信が可能であるが、窓から奥まったところに位置するユーザ端末は、建物による伝播ロスの影響が比較的大きいので、基地局との正常な通信ができない場合がある。
【０００４】
本発明は、上述した事情を鑑みてなされたものであり、広域無線通信システムを用いてインターネット等の他のネットワークに従来よりも確実に接続することを目的とする。
【課題を解決するための手段】
【０００５】
本発明では、第１の解決手段として、所定の広域無線通信方式に基づく基地局と通信を行う無線通信端末であって、前記広域無線通信方式に対応する第１の通信手段と、
所定の近距離無線通信方式に対応する第２の通信手段と、
所定機器から有線による通信要求を受け付ける受付手段と、
前記第１の通信手段、第２の通信手段及び受付手段を制御する制御部とを具備し、
該制御部は、前記所定機器からの通信要求に基づく第１の通信手段を用いた第１の通信の最中に、前記第２の通信手段が第１の通信手段を用いた通信の通信要求を受信すると、前記第２の通信手段が受信した通信要求に基づく第２の通信を前記第1の通信に多重化させる、という手段を採用する。
【０００６】
第２の解決手段として、所定の広域無線通信方式に基づく基地局と通信を行う無線通信端末であって、
前記広域無線通信方式に対応する第１の通信手段と、
所定の近距離無線通信方式に対応する第２の通信手段と、
所定機器から有線による通信要求を受け付ける受付手段と、
前記第１の通信手段、第２の通信手段及び受付手段を制御する制御部とを具備し、
該制御部は、前記第１の通信手段を用いた基地局との通信が異常な場合には、通信が正常な第２の通信手段を用いて他の端末に基地局との通信仲介を依頼する通信要求を送信し、他の端末の通信仲介を応じる旨の応答に基づき、他の端末の第１の通信手段及び第２の通信手段を用いた基地局との通信を前記第２の通信手段に行わせる、という手段を採用する。
【０００７】
第３の解決手段として、所定の広域無線通信方式に基づく基地局と通信を行う無線通信端末であって、
前記広域無線通信方式に対応する第１の通信手段と、
所定の近距離無線通信方式に対応する第２の通信手段と、
所定機器から有線による通信要求を受け付ける受付手段と、
前記第１の通信手段、第２の通信手段及び受付手段を制御する制御部とを具備し、
該制御部は、前記第１の通信手段を用いた基地局との通信が正常な場合に、他の端末の第１の通信手段及び第２の通信手段を用いることにより基地局との通信を第２の通信手段に並行して行わせる、という手段を採用する。
【０００８】
第４の解決手段として、上記第２または第３の解決手段において、前記制御部は、第２の通信手段を用いることにより複数の他の端末から通信負荷情報を取得し、当該通信負荷情報に基づいて負荷が最も軽い他の端末を介して基地局との通信を第２の通信手段に行わせる、という手段を採用する。
【０００９】
第５の解決手段として、上記第２〜第４のいずれかの解決手段において、前記制御部は、第２の通信手段を用いた複数の他の端末との通信が可能な場合、複数の他の端末を介した基地局との通信を第２の通信手段に並行して行わせる、という手段を採用する。
【００１０】
第６の解決手段として、上記第２〜第５のいずれかの解決手段において、前記制御部は、前記所定機器からの通信要求に基づく第１の通信手段を用いた第１の通信の最中に、前記第２の通信手段が第１の通信手段を用いた通信の通信要求を受信すると、前記第２の通信手段が受信した通信要求に基づく第２の通信を前記第1の通信に多重化させる、という手段を採用する。
【発明の効果】
【００１１】
本発明によれば、第１の通信手段を用いた外部ネットワークとの直接通信ができない場合でも第２の通信手段を用いることにより他の端末の第１の通信手段及び第２の通信手段を用いることにより中継用ネットワークとの通信を実現することができる。したがって、広域無線通信方式に基づく中継用ネットワーク（つまり広域無線通信システム）を用いてインターネット等の外部ネットワークに従来よりも確実に接続することができる。    
【発明を実施するための最良の形態】
【００１２】
以下、図面を参照して、本発明の実施形態について説明する。本実施形態は、ノート型パーソナルコンピュータ等に接続される無線通信端末に関する。
【００１３】
〔第１実施形態〕
最初に、本発明の第１実施形態について説明する。
図１は、本第１実施形態に係る無線通信端末を含む通信システムのシステム構成図である。この通信システムは、ノート型パーソナルコンピュータＡ，Ｂ（以下、単にコンピュータＡ，Ｂという。）、無線通信端末ＣＡ，ＣＢ、基地局Ｄ、ネットワークオペレーションシステムＥ、ＩＳＰ（Internet Service Provider）通信設備Ｆ、インターネットＧ（外部ネットワーク）等から構成される。
【００１４】
コンピュータＡは、無線通信端末ＣＡが装着された状態で建物の窓近傍に設置され、無線通信端末ＣＡを用いることにより、基地局Ｄ、ネットワークオペレーションシステムＥ及びＩＳＰ通信設備Ｆを介してインターネットＧと情報の授受を行う。一方、コンピュータＢは、無線通信端末ＣＢが装着された状態で建物の窓から離間した位置に設置されており、無線通信端末ＣＢを用いると共に上記コンピュータＡに装着された無線通信端末ＣＡを中継局として利用することにより、基地局Ｄ、ネットワークオペレーションシステムＥ及びＩＳＰ通信設備Ｆを介してインターネットＧと情報の授受を行う。
【００１５】
無線通信端末ＣＡと無線通信端末ＣＢとは、全く同一の機能構成を有しており、詳細は後述するが、所定の広域無線通信方式に準拠した広域通信機能と、広域無線通信方式よりも狭い通信エリアの近距離通信方式に基づく近距離通信機能とを併せ持つものである。無線通信端末ＣＡは、上記広域通信機能を用いて基地局Ｄと送信することにより、コンピュータＡとインターネットＧとを接続すると共に、広域通信機能と近距離通信機能とを用いることにより、無線通信端末ＣＢを介して接続されるコンピュータＢとインターネットＧとを接続する。無線通信端末ＣＢは、広域通信機能を用いた基地局Ｄとの通信が電波環境等の理由で不能な場合には、近距離通信機能を用いることにより無線通信端末ＣＡを介してコンピュータＢとインターネットＧとを接続する。
【００１６】
基地局Ｄ、ネットワークオペレーションシステムＥ、ＩＳＰ通信設備Ｆ及び無線通信端末ＣＡ，ＣＢにおける広域通信機能（以下に説明する広域無線通信部１）は所定の広域無線通信方式に準拠した通信システムを構成しており、コンピュータＡ，ＢとインターネットＧとの接続するための中継用ネットワークとして機能する。基地局Ｄは、所定の広域無線通信方式に準拠した地上局であり、無線通信端末ＣＡとインターネットＧとの間の通信を中継する。ネットワークオペレーションシステムＥは、パケット交換機等から構成され、基地局ＤとＩＳＰ通信設備Ｆとの間を接続する。ＩＳＰ通信設備Ｆは、インターネット・サービス・プロバイダが運用する通信設備であり、オペレーションシステムＥとインターネットＧとを接続する。インターネットＧは、周知のように多数のサーバやクライアントがＴＣＰ／ＩＰプロトコルに基づいて情報の授受を行う通信システムである。
【００１７】
次に、図２は、上記無線通信端末ＣＡの機能ブロック図である。上述したように、無線通信端末ＣＡと無線通信端末ＣＢとは同一構成を有しているので、以下では無線通信端末ＣＡの機能構成についてのみ説明する。
無線通信端末ＣＡは、図２に示すように、広域無線通信部１（第１の通信手段）、近距離無線通信部２（第２の通信手段）、表示部３、バスＩ/Ｆ部４、ＲＯＭ（Read Only Memory）５、ＲＡＭ（Random Access Memory）６及びＣＰＵ（Central Processing Unit）７から構成される。なお、ＲＯＭ５、ＲＡＭ６及びＣＰＵ７は、制御部８を構成している。
【００１８】
より詳細には、上記広域無線通信部１は、広域無線ＲＦ（Radio Frequency）部１ａ、広域無線ＢＢＰ（Base Band Processor）１ｂ、広域無線ＭＡＣ（Media Access Control）部１ｃから構成され、近距離無線通信部２は、近距離無線ＲＦ部２ａ、近距離無線ＢＢＰ２ｂ、近距離無線ＭＡＣ部２ｃから構成される。
【００１９】
広域無線ＲＦ部１ａは、基地局ＤからＲＦ信号を受信すると、ＲＦ信号の増幅及び、Ａ／Ｄ変換を行い、変換した受信デジタル信号を広域無線ＢＢＰ１ｂに出力を行う。また、基地局Ｄに信号を送信する場合は、広域無線ＲＦ部１ａが、広域無線ＢＢＰ１ｂから入力された送信デジタル信号にＤ／Ａ変換及び増幅を行い、所定の広域無線通信方式に準拠する周波数のＲＦ信号に変換し、基地局Ｄに対して出力を行う。
【００２０】
広域無線ＢＢＰ１ｂは、基地局Ｄから信号を受信する場合、広域無線ＲＦ部１から入力された受信デジタル信号に、受信ベースバンド信号への復調処理を行い、受信ベースバンド信号を広域無線通信ＭＡＣ部１ｃに出力する。また、基地局Ｄに信号を送信する場合は、広域無線ＭＡＣ部１ｃがら入力された送信ベースバンド信号に、デジタル信号への変調処理を行い、デジタル信号を広域無線ＲＦ部1ａへ出力する。
【００２１】
広域無線ＭＡＣ部１ｃは、ＣＰＵ７の指示に基づき、ＭＡＣフレームで構成されたベースバンド信号の送受信を、広域無線ＢＢＰ１ｂの間で行う。
【００２２】
近距離無線ＲＦ部２ａは、無線通信端末ＣＢからＲＦ信号を受信すると、受信したＲＦ信号の増幅及び、Ａ／Ｄ変換を行い、変換した受信デジタル信号を近距離無線ＢＢＰ２ｂに出力を行う。また、無線通信端末ＣＢに信号を送信する場合は、近距離無線ＢＢＰ２ｂから入力された送信デジタル信号にＤ／Ａ変換及び増幅を行い、近距離無線通信方式に対応する周波数のＲＦ信号に変換を行い、無線通信端末ＣＢに対して出力を行う。
【００２３】
近距離無線ＢＢＰ２ｂは、無線通信端末ＣＢから信号を受信する場合、近距離無線ＲＦ部２ａから入力された受信デジタル信号に、受信ベースバンド信号への復調処理を行い、受信ベースバンド信号を近距離無線ＭＡＣ部２ｃに出力する。また、無線通信端末ＣＢに信号を送信する場合は、近距離無線ＭＡＣ部２ｃから入力された送信ベースバンド信号に、デジタル信号への変調を行い、デジタル信号を近距離無線ＲＦ部２ａへ出力する。
【００２４】
近距離無線ＭＡＣ部２ｃは、ＣＰＵ７の指示に基づき、ＭＡＣフレームで構成されたベースバンド信号の送受信を、近距離無線ＢＢＰ２ｂの間で行う。
【００２５】
表示部３は、ＬＥＤ表示または液晶モニタ等で構成され、ＣＰＵ７からの指示の下、無線通信端末ＣＡの状態を表示する。
バスＩ／Ｆ部４は、ＰＣＭＣＩＡ（Personal Computer Memory Card International Association）の規格に基づき、コンピュータＡと接続が行われ、ＣＰＵ７の指示の下、コンピュータＡと各種信号の送受信を行うと共に、所定の信号処理を行う。
ＲＯＭ５は、ＣＰＵ７が使用する所定の制御用プログラムを記憶する不揮発性記憶媒体である。
【００２６】
ＲＡＭ６は、ＣＰＵ７が制御用プログラムを使用して制御動作を行うときに、ワークエリアとして使用される揮発性記憶媒体である。
ＣＰＵ７は、ＲＯＭ５に予め記憶された所定の制御プログラム、広域無線ＭＡＣ部１ｃ、近距離無線ＭＡＣ部２ｃが受信する各種信号、及びバスＩ／Ｆ部４がコンピュータＡから受信する信号に基づいて、無線通信端末ＣＡの全体動作の制御を行う。
【００２７】
次に、上記構成の無線通信端末ＣＡを含む通信システムでの、無線通信端末ＣＡの処理について、図３に示すシーケンス図を参照して詳しく説明する。
【００２８】
まず、コンピュータＢはインターネット接続要求信号を無線通信端末ＣＢに対して送信を行う。
無線通信端末ＣＢのバスＩ／Ｆ部４は、インターネット接続要求信号を受信すると、所定の信号処理を行い、ＣＰＵ７へ出力を行う。
【００２９】
無線通信端末ＣＢのＣＰＵ７は、あらかじめ検知済の基地局Ｄから受信する基地局信号の電界強度に基づき、無線通信端末ＣＢ−基地局Ｄ間で接続が行えるかどうか判断する（ステップＳ１）。無線通信端末ＣＢ−基地局Ｄ間で接続が可能であると判断した場合（「ＹＥＳ」）、広域無線ＭＡＣ部１ｃにインターネット接続指示を行う。指示を受けた広域無線通信用ＭＡＣ部１ｃは、インターネット接続指示に対する送信ベースバンド信号を広域無線ＢＢＰ１ｂに出力を行い、広域無線ＢＢＰ１ｂ、広域無線ＲＦ部１ａの順に所定の信号処理を行い、広域無線ＲＦ部１ａはＲＦ信号を基地局Ｄに送信を行い、基地局Ｄを介して、インターネット接続を実現する（ステップＳ２）。
【００３０】
しかし、ＣＰＵ７が、無線通信端末ＣＢ−基地局Ｄ間で接続が不可であると判断した場合（「ＮＯ」）、近距離無線ＭＡＣ部２ｃに、無線通信端末ＣＡに対して、基地局Ｄへの接続可否を確認する旨の信号を送信するように指示を行う。近距離無線ＭＡＣ部２ｃは指示を受けると、近距離無線ＢＢＰ２ｂに送信ベースバンド信号を出力し、近距離無線ＢＢＰ２ｂ、近距離無線ＲＦ部２ａの順に所定の信号処理を行い、近距離無線ＲＦ部２ａは、無線通信端末ＣＡに対して、ＲＦ信号を出力する（ステップＳ３）。
【００３１】
ＲＦ信号を受信した無線通信端末ＣＡは、近距離無線ＭＡＣ部２ｃ、近距離無線ＢＢＰ２ｂ、近距離無線ＭＡＣ部２ｃの順に所定の信号処理を行い、基地局Ｄへ接続可能である旨の応答をＲＦ信号で無線通信端末ＣＢに送信し（ステップＳ４）、ＲＦ信号を受信した無線通信端末ＣＢは、近距離無線通ＲＦ部２ａ、近距離無線ＢＢＰ２ｂ、近距離無線ＭＡＣ部２ｃの順に所定の信号処理を行い、ＣＰＵ７に出力する。
入力された無線通信端末ＣＢのＣＰＵ７は、無線通信端末ＣＡに対してインターネット接続要求を送信する旨の指示を、近距離無線ＭＡＣ部２ｃに行い、近距離無線ＭＡＣ部２ｃ、近距離無線ＢＢＰ２ｂ、近距離無線ＲＦ部２ａの順に所定の信号処理を行い、無線通信端末ＣＡに対してＲＦ信号を送信する（ステップＳ５）。
【００３２】
無線通信端末ＣＡはＲＦ信号受信後、無線通信端末ＣＡのＣＰＵ７が、広域無線ＭＡＣ部２ｃに対して、インターネット接続指示を行い、広域無線ＭＡＣ部２ｃ、広域無線ＢＢＰ２ｂ、広域無線ＲＦ部２ａの順に所定の信号処理を行い、コンピュータＡからのインターネット接続要求に基づく第１の通信と無線通信端末ＣＢからのインターネット接続要求に基づく第２の通信、第２の通信を第１の通信に多重化を行ったインターネット接続に対するＲＦ信号を基地局Ｄに送信し、基地局Ｄと接続を行い、コンピュータＡとコンピュータＢ両方のインターネット接続を実現する（ステップＳ６）。
【００３３】
このような本実施形態によれば、無線通信端末ＣＢに接続されているコンピュータＢ´を操作するユーザは、無線通信端末ＣＢが基地局Ｄに接続できない状況にあったとしても、近距離にある無線通信端末ＣＡを近距離無線通信で経由して、無線通信端末Ｂの広域無線通信を利用し、基地局Ｄに接続を行うことで、インターネットＧに接続することが可能となる。
【００３４】
〔第２実施形態〕
次に、本発明の第２実施形態について説明する。
この第２実施形態は、図４に示すように、１つの無線通信端末ＣＫが他の３つの無線通信端末ＣＨ，ＣＩ，ＣＪを並行して用いる通信システムに関する。なお、この図４では、図１に示した機器と同一の機器には同一符号を付している。
【００３５】
この通信システムでは、コンピュータＨに無線通信端末ＣＨが、コンピュータＩに無線通信端末ＣＩが、コンピュータＪに無線通信端末ＣＪが、またコンピュータＫに無線通信端末ＣＫがそれぞれ装着されている。また、コンピュータＨ，Ｉ，Ｊは、無線通信端末ＣＨ，ＣＩ，ＣＪと共に窓近傍に配置されており、無線通信端末ＣＨ，ＣＩ，ＣＪを用いた広域通信が可能な状態にある。これに対して、コンピュータＫは、無線通信端末ＣＫと共に窓から離間した場所に配置されており、無線通信端末ＣＫを用いた広域通信が可能な状態にない。
【００３６】
このような通信システムにおいて、コンピュータＫは、無線通信端末ＣＫを用いて３つの無線通信端末ＣＨ，ＣＩ，ＣＪと近距離通信を行うことにより、当該３つの無線通信端末ＣＨ，ＣＩ，ＣＪを並行して用いてインターネットＧと接続を行う。
すなわち、まずコンピュータＫがインターネット接続要求信号を無線通信端末ＣＫに対して送信を行う。無線通信端末ＣＫのバスＩ／Ｆ部４は、インターネット接続要求信号を受信すると、所定の信号処理を行い、ＣＰＵ７へ出力を行う。
【００３７】
無線通信端末ＣＫのＣＰＵ７は、近距離無線ＭＡＣ部２ｃに、無線通信端末ＣＨ，ＣＩ，ＣＪに対して、基地局Ｄへの接続可否を確認する旨の信号を送信するように指示を行う。近距離無線ＭＡＣ部２ｃは指示を受けると、近距離無線ＢＢＰ２ｂに送信ベースバンド信号を出力し、近距離無線ＢＢＰ２ｂ、近距離無線ＲＦ部２ａの順に所定の信号処理を行い、近距離無線ＲＦ部２ａは、無線通信端末ＣＨ，ＣＩ，ＣＪに対して、ＲＦ信号を出力する。
【００３８】
ＲＦ信号を受信した無線通信端末ＣＨ，ＣＩ，ＣＪは、近距離無線ＭＡＣ部２ｃ、近距離無線ＢＢＰ２ｂ、近距離無線ＭＡＣ部２ｃの順に所定の信号処理を行い、基地局Ｄへ接続可能である旨の応答をＲＦ信号で無線通信端末ＣＫに送信し、ＲＦ信号を受信した無線通信端末ＣＫは、近距離無線通ＲＦ部２ａ、近距離無線ＢＢＰ２ｂ、近距離無線ＭＡＣ部２ｃの順に所定の信号処理を行い、ＣＰＵ７に出力する。
【００３９】
入力された無線通信端末ＣＫのＣＰＵ７は、無線通信端末ＣＨ，ＣＩ，ＣＪに対してインターネット接続要求を送信する旨の指示を、近距離無線ＭＡＣ部２ｃに行い、近距離無線ＭＡＣ部２ｃ、近距離無線ＢＢＰ２ｂ、近距離無線ＲＦ部２ａの順に所定の信号処理を行い、無線通信端末ＣＨ，ＣＩ，ＣＪに対してＲＦ信号を送信する。
【００４０】
無線通信端末ＣＨ，ＣＩ，ＣＪはＲＦ信号受信後、無線通信端末ＣＨ，ＣＩ，ＣＪのＣＰＵ７が、広域無線ＭＡＣ部２ｃに対して、インターネット接続指示を行い、広域無線ＭＡＣ部２ｃ、広域無線ＢＢＰ２ｂ、広域無線ＲＦ部２ａの順に所定の信号処理を行い、インターネット接続に対するＲＦ信号を基地局Ｄに送信し、基地局Ｄと接続を行い、コンピュータＫのインターネット接続を実行する。
【００４１】
このような第２実施形態によれば、コンピュータＫは、無線通信端末ＣＫを介することにより３つの無線通信端末ＣＨ，ＣＩ，ＣＪを並行して用いてインターネットＧに接続されるので、第１実施形態のように単一の無線通信端末を用いる場合よりも通信速度を向上させることができる。
【００４２】
以上、本発明の一実施形態について説明したが、本発明は上記実施形態に制限されることなく、例えば以下のような変形が考えられる。
【００４３】
（１）上記実施形態では、無線通信端末ＣＢは近距離無線通信部２を用いることにより無線通信端末ＣＡを介してコンピュータＢをインターネットＧに接続するが、本発明はこれに限定されない。広域無線通信部１を用いて基地局Ｄと正常な通信ができる場合には、広域無線通信部１を用いることにより広域無線通信部１と並行してインターネットＧに接続するようにしても良い。この場合には、近距離無線通信部２のみを用いる場合よりも通信速度を向上させることがある。
【００４４】
（２）上記実施形態では、無線通信端末ＣＢは、近距離無線通信部２を用いることにより単一の無線通信端末ＣＡを介してコンピュータＢをインターネットＧに接続するが、本発明はこれに限定されない。無線通信端末ＣＢの近距離無線通信部２が複数の無線通信端末と通信可能な場合には、各無線通信端末から通信負荷情報を取得し、最も負荷が軽い無線通信端末を選択してインターネットＧに接続するようにしても良い。
【００４５】
（３）上記実施形態では、無線通信端末ＣＢは近距離無線通信部２を用いることにより無線通信端末ＣＡを介してコンピュータＢをインターネットＧに接続するが、無線通信端末ＣＡと無線通信端末ＣＢとは同一の機能を有しているので、無線通信端末ＣＢが基地局Ｄとの通信が可能な状態にある場合には、無線通信端末ＣＡが無線通信端末ＣＢを介してインターネットＧに接続するようにしても良い。
【図面の簡単な説明】
【００４６】
【図１】本発明の一実施形態に係る無線通信端末ＣＡ，ＣＢが用いられる通信システムのシステム構成図である。
【図２】本発明の一実施形態に係る無線通信端末ＣＡの機能ブロック図である。
【図３】本発明の一実施形態に係る無線通信端末ＣＡが用いられる通信システムの処理を示すシーケンス図である。
【図４】本発明の一実施形態に係る無線通信端末が複数の無線通信端末と接続を行う通信システムのシステム構成図である。
【符号の説明】
【００４７】
Ａ，Ｂ，Ｈ，Ｉ，Ｊ，Ｋ…ノート型パーソナルコンピュータ（所定機器）、ＣＡ，ＣＢ，ＣＨ，ＣＩ，ＣＪ，ＣＫ…無線通信端末、Ｄ…基地局、Ｅ…ネットワークオペレーションシステム、Ｆ…ＩＳＰ通信設備、Ｇ…インターネット（外部ネットワーク）、１…広域無線通信部（第１の通信手段）、１ａ…広域無線ＲＦ部、１ｂ…広域無線ＢＢＰ、１ｃ…広域無線ＭＡＣ部、２…近距離無線通信部（第２の通信手段）、２ａ…近距離無線ＲＦ部、２ｂ…近距離無線ＢＢＰ、２ｃ…近距離無線ＭＡＣ部、３…表示部、４…バスＩ／Ｆ部（受付手段）、５…ＲＯＭ、６…ＲＡＭ、７…ＣＰＵ、８…制御部
【図１】
2008252276.tif 000003
【図２】
2008252276.tif 000004
【図３】
2008252276.tif 000005
【図４】
2008252276.tif 000006